【手続補正書】
【提出日】平成18年5月15日(2006.5.15)
【手続補正１】
【補正対象書類名】明細書
【補正対象項目名】特許請求の範囲
【補正方法】変更
【補正の内容】
【特許請求の範囲】
【請求項１】  体内通路内に移植する人工器官であって、
上記人工器官は、外周部と長手方向の軸を形成する複数の伸縮可能なセグメントを有し、
各セグメントは外周部の周りに伸びる複数の曲線要素からなる交互パターンを有し、
上記交互パターンは、伸びに対して第１の抵抗力を有する第１セットの曲線要素と、伸びに対して上記第１の抵抗力よりも大きい第２の抵抗力を有する第２セットの曲線要素とを有し、
上記人工器官はまた、隣接するセグメントの間に伸びるコネクタを有する人工器官。
【請求項２】  請求項１の人工器官であって、
各セグメントは収縮状態、第１の伸張状態、及び第２の伸張状態の間を伸縮可能であり、
上記第１の伸張状態は、伸びに対する第１の抵抗力を超える半径方向の力がセグメントに加わったときに得られ、
上記第２の伸張状態は、伸びに対する第２の抵抗力を超える半径方向の力がセグメントに加わったときに得られる人工器官。
【請求項３】  請求項１の人工器官であって、
上記第１セットと第２セットの曲線要素は、それぞれ第１の長手方向長さと第２の長手方向長さを有するほぼＵ形状の要素からなり、
上記第２の長手方向長さは上記第１の長手方向長さよりも短い人工器官。
【請求項４】  請求項３の人工器官であって、
上記第１のセットと第２のセットの曲線要素における上記ほぼＵ形状の要素は互いに連結され、セグメントに沿って周方向に伸びるほぼシヌソイドパターンを形成し、
上記シヌソイドパターンは、上記第１と第２の長手方向長さによって定義される、交互に変化する幅を有する人工器官。
【請求項５】  請求項１の人工器官であって、
上記接続部は、上記長手方向の軸を横断する隣接するセグメントの関節動作を容易にするために、上記外周部に互いに対向して配置された一対のコネクタを有する人工器官。
【請求項６】  請求項１の人工器官であって、
上記コネクタは、複数のセグメントで形成される外周部に沿って少なくとも一部に伸びる曲線要素を有する人工器官。
【請求項７】  請求項６の人工器官であって、
上記コネクタの曲線要素は、隣接するセグメントが所定の曲げ力を受けたとき、軸方向にほぼ均一に伸縮するシヌソイド形状を形成している人工器官。
【請求項８】  伸張可能なステントであって、
上記ステントは、収縮した状態と拡大した状態との間で塑性的に変形可能で且つ複数の円筒状セグメントとを有する連続した管状部材と、隣接する円筒セグメントの間に伸びる複数のコネクタとを備え、
上記円筒セグメントは、半径方向に異なる抵抗力を有する複数の曲線要素からなる交互周囲パターンを有するステント。
【請求項９】  請求項８の伸張可能なステントであって、
上記周囲パターンは、第１の長手方向長さと第２の長手方向長さをそれぞれ有する第１セットと第２セットのＵ形状要素を有し、
上記第２の長手方向長さは、上記第１の長手方向長さよりも短いステント。
【請求項１０】  請求項９の伸張可能なステントであって、上記ほぼＵ形状のセグメントは互いに接続され、各セグメントに沿って周方向に伸びるほぼシヌソイドパターンを形成を形成しており、上記シヌソイドパターンは上記第１の長手方向長さと第２の長手方向長さによって交互に定義される幅を有するステント。
【請求項１１】  請求項８の伸張可能なステントであって、
上記接続部は、上記長手方向の軸の周りの隣接する円筒セグメントの関節動作を容易にするために、上記外周部に互いに対向して配置された一対のコネクタを有するステント。
【請求項１２】  請求項８の伸張可能なステントであって、
上記コネクタは、複数の円筒セグメントで形成される外周部に沿って少なくとも一部に伸びる曲線要素を有するステント。
【請求項１３】  請求項１２の伸張可能なステントであって、
上記コネクタの曲線要素は、隣接する円筒セグメントが上記長手方向の軸の周りで所定の曲げ力を受けたとき、軸方向にほぼ均一に伸縮するシヌソイド形状を形成しているステント。
【請求項１４】  伸張可能なステントであって、
収縮状態と拡張状態との間で塑性変形可能であって、外周部と長手方向軸を形成する、複数の円筒セグメントと、
隣接するセグメントの間に伸び、上記長手方向軸にほぼ平行な軸の周りに伸びるほぼシヌソイド形状を有する接続部とを有するステント。
【請求項１５】  請求項１４の伸張可能なステントであって、
上記接続部は、上記円筒セグメントの外周部で互いに対向して配置された一対のコネクタを有し、
上記シヌソイド形状により、隣接する円筒セグメントが上記長手方向軸の周りで所定の曲げ力を受けたとき、対向する複数対のコネクタが軸方向にほぼ均一に伸縮できるステント。
【請求項１６】  請求項１４の伸縮可能なステントであって、
上記円筒セグメントは、第１の長手方向長さと第２の長手方向長さをそれぞれ有する第１セットのＵ形状要素と第２セットのＵ形状要素を含む外周パターンを有し、
上記第２の長手方向長さは上記第１の長手方向長さよりも短いステント。
【請求項１７】  請求項１４の伸縮可能なステントであって、
上記円筒セグメントは、各円筒セグメントの周りを周方向に伸びるジグザグパターンを有し、
上記ジグザグパターンは、上記第１の長手方向長さと第２の長手方向長さによって定義される互い違いの幅を有するステント。
【請求項１８】  請求項１４の伸縮可能なステントであって、
各セグメントは、収縮状態と、第１の伸張状態と、第２の伸張状態の間を伸縮可能であるステント。
【請求項１９】  請求項１８の伸張可能なステントであって、
上記円筒セグメントは、伸びに対してそれぞれ第１の抵抗力と第２の抵抗力を有する、交互に配置された第１セットの曲線要素と第２セットの曲線要素からなる外周パターンを有し、
上記第１の伸張状態は、伸びに対する第１の抵抗力を超える半径方向の力が上記円筒セグメントに加わったときに得られ、
上記第２の伸張状態は、伸びに対する第２の抵抗力を超える半径方向の力が上記円筒セグメントに加わったときに得られるステント。
【請求項２０】  伸張可能なステントを患者の体内の所定の場所に移送する装置であって、
基端と末端を有する細長い部材と、
拡幅部と体内の通路に沿って容易に挿入できるようにするテーパの付いた末端側の先端とを有し、上記末端に設けたノーズコーンと、
伸張可能なステントを受けるために、上記ノーズコーンの近傍で上記細長い部材に設けた伸張可能な部材とを有する装置。
【請求項２１】  請求項２０の装置であって、
細長い部材上をスライド可能な外側シースを有し、
上記外側シースは上記細長い部材を受ける管腔を有する装置。
【請求項２２】  請求項２１の装置であって、
上記外側シースは、上記ノーズコーンの上記拡幅部とほぼ同一の径を有する末端を有する装置。
【請求項２３】  請求項２１の装置であって、
上記外側シースは、上記外側シースの外面と上記管腔との間に伸びる一以上の潅流孔を有する装置。
【請求項２４】  請求項２１の装置であって、
上記外側シースは、上記措置側シースの末端近傍の外面に、触覚インジケータを有する装置。
【請求項２５】  請求項２４の装置であって、
上記触覚インジケータは、上記外側シースの外面に突起を有し、
上記突起は、上記細長い部材が上記外側シース内に収容されているとき、上記伸張可能な部材と予め決められた関係を有する装置。
【請求項２６】  請求項２１の装置であって、
上記外側シースは、体内の通路の一部を拡張するために、上記シースの末端近傍に、伸張可能な拡張部材を有する装置。
【請求項２７】  請求項２０の装置であって、
上記ノーズコーンは、上記拡幅部の近傍で且つ末端側に複数の潅流孔を有する装置。
【請求項２８】  請求項２０の装置であって、
上記伸張可能な部材に対して予め決められた場所で、上記細長い部材上に外部から検出可能なマーカを有する装置。
【請求項２９】  請求項２０の装置であって、
上記伸張可能な部材の近傍で上記細長い部材上にショルダを有し、
上記ショルダは、上記伸張可能なステントの基端側への移動を防止するために、上記伸張可能な部材上に受けられた伸張可能なステントの基端に係合する短くて太い末端を有する装置。
【請求項３０】  請求項２９の装置であって、
上記ショルダは、体内の通路から上記細長い部材の取り出しを容易にするために、テーパの付いた基端を有する装置。